(57)【要約】【課題】簡易な構造で蓋材のロックとディスクトレイの誤作動防止とを実現するディスク駆動装置を提供する。【解決手段】蓋体１８は、開口部１７に嵌る本体５１と、本体５１と一体に形成されるとともに、本体５１がフロントパネル１６に対して回動できるように、フロントパネル１６に支持される軸部５２と、本体５１と一体に形成される係止部５３と、を具備する。係止部５３は、ディスクトレイ２２が第１の位置Ｐ１にある際に、このディスクトレイ２２に突き当たって蓋体１８が開位置Ｓ２になることを阻止する。係止部５３は、ディスクトレイ２２が第２の位置Ｐ２から第１の位置Ｐ１に戻る際に蓋体１８が開位置Ｓ２で保持されたとき、ディスクトレイ２２に突き当たってディスクトレイ２２が第２の位置Ｐ２から第１の位置Ｐ１に戻ることを阻止する。【選択図】図５
2008243335.tif 000002
【特許請求の範囲】
【請求項１】
筐体と、
前記筐体の内部に収容された第１の位置と、前記筐体から外部に露出した第２の位置との間で移動できるディスクトレイと、
前記筐体の前方に設けられたフロントパネルと、
前記フロントパネルに設けられるとともに、前記ディスクトレイが前記第１の位置から前記第２の位置に移動する際に前記ディスクトレイが通される開口部と、
前記ディスクトレイが前記第１の位置にあるときに、前記開口部を覆う閉位置になるとともに、前記ディスクトレイが前記第２の位置にあるときに、前記開口部から外れた開位置になる蓋体と、
を具備し、
前記蓋体は、
前記開口部に嵌る本体と、
前記本体と一体に形成されるとともに、前記本体が前記フロントパネルに対して回動できるように、前記フロントパネルに支持される軸部と、
前記本体と一体に形成される係止部と、
を具備し、
前記係止部は、前記ディスクトレイが前記第１の位置にある際に、このディスクトレイに突き当たって前記蓋体が前記開位置になることを阻止するととともに、前記ディスクトレイが前記第２の位置から前記第１の位置に戻る際に前記蓋体が前記開位置で保持されたとき、前記ディスクトレイに突き当たって前記ディスクトレイが前記第２の位置から前記第１の位置に戻ることを阻止することを特徴とするディスク駆動装置。
【請求項２】
前記係止部は、前記本体から延びて、前記本体と直交する方向に突出する突起であることを特徴とする請求項１に記載のディスク駆動装置。
【請求項３】
前記軸部は、前記本体の高さの範囲内に配置されることを特徴とする請求項２に記載のディスク駆動装置。
【請求項４】
前記ディスクトレイの移動を駆動するための駆動機構を具備し、
前記駆動機構は、前記ディスクトレイを前記第２の位置から前記第１の位置に移動する際に、前記ディスクトレイが前記係止部に突き当たったとき、前記ディスクトレイを前記第２の位置に戻すことを特徴とする請求項２に記載のディスク駆動装置。
【請求項５】
前記ディスクトレイの移動を駆動するための駆動機構を具備し、
前記駆動機構は、前記ディスクトレイを前記第２の位置から前記第１の位置に移動する際に、前記ディスクトレイが前記係止部に突き当たったとき、前記ディスクトレイをその場に停止させることを特徴とする請求項２に記載のディスク駆動装置。
【発明の詳細な説明】
【技術分野】
【０００１】
本発明は、蓋体の開閉をロックできるディスク駆動装置に関する。
【背景技術】
【０００２】
例えば、スプリングを用いることなく蓋材を開閉することができるディスク駆動装置が開示されている。このディスク駆動装置は、本体前方に設けられたフロントパネルと、トレイと、トレイを出し入れするためにフロントパネルに設けられた開口部と、開口部に回動可能に設けられた蓋材と、を備えている。蓋材は、開口部を覆う本体と、フロントパネルに支持されるとともに前記回動の際に回転中心となる軸部と、トレイに係合するリブと、を有している。軸部は、本体およびリブから独立した位置に配置されている。一方、トレイは、その下面先端に設けられ前記蓋材のリブに当接するための小リブと、蓋材が回転する際に前記リブをガイドする切り欠きと、を有している。
【０００３】
このディスク駆動装置において、トレイは、フロントパネルの開口部を介して外部に露出したり、外部から本体内部に引き戻されたりする。トレイが外部から戻る際に、蓋材のリブがトレイの小リブに係合し、蓋材が閉まる方向に回動する。そして、蓋材が閉まった状態において、リブの上面にトレイの小リブが当接する。トレイが本体の内部にある状態で、蓋材は開くことができないようになっている（例えば、特許文献１参照）。
【特許文献１】特開２００５−６３５０３号公報
【発明の開示】
【発明が解決しようとする課題】
【０００４】
しかしながら、上記従来のディスク駆動装置では、トレイが内部に引き込まれる際に、ユーザが指などで蓋材を開放した状態で保持すると、トレイの小リブと蓋材のリブとが接触し、小リブを破損してしまう恐れがあった。またそのような際に、例えばディスクを回転させないようにするなど、ディスク駆動装置の誤作動を防止するための発想がなく、誤作動防止のための手当てが何らなされていない問題があった。一方、トレイに切り欠きを設ける必要があり、構造が複雑化している問題があった。さらに、軸部が本体およびリブから独立した位置に設けられているため、蓋材の回動半径が増大し、結果としてディスク駆動装置の厚み寸法が増大してしまう問題があった。
【０００５】
本発明の目的は、簡易な構造で蓋体のロックとディスクトレイの誤作動防止とを実現することができるディスク駆動装置を提供することにある。
【課題を解決するための手段】
【０００６】
前記目的を達成するため、本発明の一つの形態に係るディスク駆動装置は、筐体と、前記筐体の内部に収容された第１の位置と、前記筐体から外部に露出した第２の位置との間で移動できるディスクトレイと、前記筐体の前方に設けられたフロントパネルと、前記フロントパネルに設けられるとともに、前記ディスクトレイが前記第１の位置から前記第２の位置に移動する際に前記ディスクトレイが通される開口部と、前記ディスクトレイが前記第１の位置にあるときに、前記開口部を覆う閉位置になるとともに、前記ディスクトレイが前記第２の位置にあるときに、前記開口部から外れた開位置になる蓋体と、を具備し、前記蓋体は、前記開口部に嵌る本体と、前記本体と一体に形成されるとともに、前記本体が前記フロントパネルに対して回動できるように、前記フロントパネルに支持される軸部と、前記本体と一体に形成される係止部と、を具備し、前記係止部は、前記ディスクトレイが前記第１の位置にある際に、このディスクトレイに突き当たって前記蓋体が前記開位置になることを阻止するととともに、前記ディスクトレイが前記第２の位置から前記第１の位置に戻る際に前記蓋体が前記開位置で保持されたとき、前記ディスクトレイに突き当たって前記ディスクトレイが前記第２の位置から前記第１の位置に戻ることを阻止する。
【発明の効果】
【０００７】
本発明によれば、簡易な構造で蓋材のロックとディスクトレイの誤作動防止とを実現できるディスク駆動装置を提供できる。
【発明を実施するための最良の形態】
【０００８】
以下に、図１から図１１を参照して、ディスク駆動装置の実施形態について、例えば、ＤＶＤ（Digital Versatile disk）駆動装置に適用した場合を例に説明する。
【０００９】
図１と図２に示すように、ＤＶＤ駆動装置１１は、シャーシ１２と、シャーシ１２の上側に載置されたフレーム１３を含む装置本体１４と、シャーシ１２と装置本体１４との間で４箇所の角部に設けられたダンパ１５と、を備えている。フレーム１３は、各ダンパ１５によって弾力的に支持されている。
【００１０】
ＤＶＤ駆動装置１１は、フレーム１３の前方に設けられたフロントパネル１６と、フロントパネル１６に設けられた開口部１７と、フロントパネル１６の開口部１７に設けられた蓋体１８と、フレーム１３の上側に被さるシャーシトップ１９と、を備えている。フレーム１３およびシャーシトップ１９は、筐体の一例であり、これらにより、これらの内部にある空間が密閉されている。
【００１１】
フロントパネル１６と蓋体１８との間には、図示しないねじりバネが設けられている。蓋体１８は、ねじりバネにより、常にフロントパネル１６の開口部１７を塞ぐように付勢されている。
【００１２】
装置本体１４は、フレーム１３と、フレーム１３に対して昇降することができるトラバースメカ２１と、トラバースメカ２１よりも上側の位置でフレーム１３に対して水平方向に移動できるディスクトレイ２２と、トラバースメカ２１の昇降およびディスクトレイ２２の水平方向の移動を駆動するための駆動機構２３と、ディスクトレイ２２にカートリッジ型の光ディスクを保持するための一対のアーム２９と、を有している。
【００１３】
ディスクトレイ２２は、例えば、８ｃｍディスク収納部２４と、１２ｃｍディスク収納部２５と、トラバースメカ２１を上方に露出させるための切欠部２６と、を有している。ディスクトレイ２２は、図１に示す第１の位置Ｐ１と、図２に示す第２の位置Ｐ２との間で移動することができる。すなわち、ディスクトレイ２２は、第１の位置Ｐ１において、フレーム１３の内部に収容されている。ディスクトレイ２２は、第２の位置Ｐ２において、フレーム１３から外部に露出している。ディスクトレイ２２が第１の位置Ｐ１から第２の位置Ｐ２に移動する際や、第２の位置Ｐ２から第１の位置Ｐ１に移動する際には、ディスクトレイ２２は、フロントパネル１６の開口部１７の中を通される。もっとも、ディスクトレイ２２は、第２の位置Ｐ２からさらに前方に移動することができ、これに対して光ディスクを搭載したり、これから光ディスクを取り外したりできる。
【００１４】
図６に示すように、装置本体１４は、ディスクトレイ２２とフレーム１３との間に設けられるスイッチ機構２７と、駆動機構２３を制御する図示しない制御部と、を有している。
【００１５】
スイッチ機構２７は、ディスクトレイ２２の位置を検知することができる。制御部は、スイッチ機構２７に接続されている。スイッチ機構２７によって、制御部は、ディスクトレイ２２が第１の位置Ｐ１にあるか、第２の位置Ｐ２にあるか、またはその途中の位置にあるかを判断することができる。
【００１６】
図１０に、ディスクトレイ２２上に搭載されたカートリッジ型の光ディスク２８を示す。光ディスク２８は、カートリッジ２８Ａと、カートリッジ２８Ａの内部に収容されたディスク本体２８Ｂと、を含んでいる。
【００１７】
図３に示すように、駆動機構２３は、例えば、ＤＣモータで構成されるローディングモータ３１と、ローディングモータ３１の駆動軸に圧入されたプーリ３２と、プーリ３２の駆動力を伝達する駆動ベルト３３、プーリギア３４、中継ギア３５およびトレイギア３６と、トレイギア３６と噛み合ってトラバースメカ２１を昇降させるロードカム３７と、を有している。
【００１８】
図４に示すように、トラバースメカ２１は、トラバースシャーシ４０と、トラバースシャーシ４０の上側に搭載されたディスクモータ４１および光ピックアップユニット４２と、を有している。ディスクモータ４１は、ディスクトレイ２２に搭載された光ディスク２８を持ち上げて回転させることができる。トラバースメカ２１は、駆動機構２３の駆動によって、ディスクトレイ２２上の光ディスク２８に対して昇降することができる。このため、ディスクトレイ２２が第１の位置Ｐ１に移動された際に、トラバースメカ２１は上昇し、シャーシトップ１９に設けられた図示しないクランパーとの間で光ディスク２８を保持することができる。
【００１９】
蓋体１８は、光ディスク２８の再生・記録中に装置本体１４内部にゴミ等の異物の侵入を防ぐためのものである。また、蓋体１８は、回転中の光ディスク２８にユーザが触れないようにするためのものである。
【００２０】
蓋体１８は、開口部１７に嵌る本体５１と、本体５１がフロントパネル１６に対して回動できるようにフロントパネル１６に支持される軸部５２と、本体５１と一体に形成される係止部５３と、を有している。本体５１は、長方形の板状に形成されている。軸部５２は、本体５１と一体に形成されている。軸部５２は、本体５１の高さの範囲内に配置されている。一方、フロントパネル１６は、図示しない軸受部を有し、軸受部は、これに嵌る軸部５２が回転できるように軸部５２を支持している。図１に示すように、蓋体１８は、ディスクトレイ２２が第１の位置Ｐ１にあるときに、開口部１７を覆う閉位置Ｓ１にある。また、図２に示すように、蓋体１８は、ディスクトレイ２２が第２の位置Ｐ２にあるときに、開口部１７から外れた開位置Ｓ２にある。
【００２１】
係止部５３は、本体５１から突出するように延びた突起で構成されている。係止部５３は、本体５１と直交する方向に延びている。係止部５３は、ディスクトレイ２２の下面と当接する当接片５３Ａと、当接片５３Ａを支持する一対の補強リブ５３Ｂと、を有している。一方、図４に示すように、装置本体１４のフレーム１３には、係止部５３が挿入されるための挿入口５４が設けられている。
【００２２】
続いて、図７から図１１を参照して、ディスクトレイ２２の排出動作および収容動作について説明する。
【００２３】
図７に示すように、ディスクトレイ２２が第１の位置Ｐ１にあるとき、蓋体１８は、開口部１７に嵌っている閉位置Ｓ１にある。この状態において、例えばユーザが蓋体１８を開放しようとすると、図８に示すように、蓋体１８の係止部５３がディスクトレイ２２の前壁部２２Ａに突き当たる。このため、ディスクトレイ２２が第１の位置Ｐ１にあるときに、蓋体１８は、一定の大きさ以上開放しないようになっている。このとき、蓋体１８は若干量開いてしまうものの、ユーザの指等が入らない程度にしか開かないようになっている。
【００２４】
駆動機構２３が駆動して、ディスクトレイ２２が第１の位置Ｐ１から第２の位置Ｐ２に移動する際には、図９に示すように、ディスクトレイ２２の前面が蓋体１８の本体５１に突き当たる。さらに、ディスクトレイ２２が前進すると、図１０に示すように、ディスクトレイ２２が第２の位置Ｐ２に到達する。この状態において、蓋体１８は、開位置Ｓ２になる。ディスクトレイ２２はさらに前進し、８ｃｍディスク収納部２４および１２ｃｍディスク収納部２５などが外部に露出される。この状態で、ユーザは、ディスクトレイ２２上に光ディスク２８を搭載したり、ディスクトレイ２２上の光ディスク２８を取り外したりすることができる。
【００２５】
駆動機構２３が駆動して、ディスクトレイ２２が第２の位置Ｐ２から第１の位置Ｐ１に移動すると、蓋体１８は、ねじりバネの付勢力によって、開位置Ｓ２から閉位置Ｓ１に移動する。このとき、例えばユーザが蓋体１８に指を掛けるなど、蓋体１８を開位置Ｓ２に保持した場合には、図１１に示すように、蓋体１８の係止部５３がディスクトレイ２２の前壁部２２Ａに突き当たる。このとき、制御部は、スイッチ機構２７を介して、ディスクトレイ２２が第１の位置Ｐ１に戻らないこと検知できる。すなわち、制御部は、所定時間経経過後にディスクトレイ２２が第１の位置Ｐ１に戻らないとき、蓋体１８またはディスクトレイ２２に異常があったと判断する。制御部は、駆動機構２３を反転駆動し、駆動機構２３は、ディスクトレイ２２を再び第２の位置Ｐ２に戻す動作を行う。
【００２６】
このように、係止部５３は、ディスクトレイ２２が第１の位置Ｐ１にある際に、このディスクトレイ２２に突き当たって蓋体１８が開位置Ｓ２になることを阻止する。また係止部５３は、ディスクトレイ２２が第２の位置Ｐ２から第１の位置Ｐ１に戻る際に蓋体１８が開位置Ｓ２で保持されたとき、ディスクトレイ２２に突き当たってディスクトレイ２２が第２の位置Ｐ２から第１の位置Ｐ１に戻ることを阻止する。
【００２７】
なお、ディスクトレイ２２が正常に第１の位置Ｐ１に移動されたとき、駆動機構２３は、ロードカム３７を作動させ、トラバースメカ２１を上昇させる。トラバースメカ２１の上昇によって、光ディスク２８がディスクモータ４１とクランパーとの間に保持される。一方、ディスクトレイ２２が第２の位置Ｐ２に移動する際には、駆動機構２３は、ロードカム３７を介してトラバースメカ２１を下降させ、光ディスク２８をディスクトレイ２２上に戻すようにする。
【００２８】
以上が、ＤＶＤ駆動装置１１の実施形態である。本実施形態によれば、係止部５３は、ディスクトレイ２２が第１の位置Ｐ１にある際に、このディスクトレイ２２に突き当たって蓋体１８が開位置Ｓ２になることを阻止するととともに、ディスクトレイ２２が第２の位置Ｐ２から第１の位置Ｐ１に戻る際に蓋体１８が開位置Ｓ２で保持されたとき、ディスクトレイ２２に突き当たってディスクトレイ２２が第２の位置Ｐ２から第１の位置Ｐ１に戻ることを阻止する。この構成によれば、ディスクトレイ２２が第１の位置Ｐ１にあるときに、蓋体１８が開放してしまうことを防止することができる。このため、例えば、光ディスク２８が高速で回転している状態において、ユーザが誤って光ディスク２８に触れてしまうことを防止できる。
【００２９】
また、この構成によれば、ディスクトレイ２２が第２の位置Ｐ２から第１の位置Ｐ１に戻る際に、蓋体１８が開位置Ｓ２で保持されたとき、ディスクトレイ２２がそのまま第１の位置Ｐ１に戻ることが阻止される。このため、例えば、蓋体１８が開位置Ｓ２にある状態のまま、光ディスク２８がディスクモータ４１によって回転されてしまうことを防止できる。つまり、一つの係止部５３によって、蓋体１８の開放をロックする機能と、不適切な状態でディスクトレイ２２が収納されてしまうことを防止する機能と、の両方を実現することができる。
【００３０】
この場合、係止部５３は、本体５１から延びて、本体５１と直交する方向に突出する突起である。この構成によれば、係止部５３を一体に成形することができ、係止部５３を簡単に形成することができる。
【００３１】
この場合、軸部５２は、本体５１の高さの範囲内に配置される。この構成によれば、蓋体１８の高さ寸法の増大を防止して、ＤＶＤ駆動装置１１を薄型化することができる。
【００３２】
また、この場合、駆動機構２３は、ディスクトレイ２２を第２の位置Ｐ２から第１の位置Ｐ１に移動する際に、ディスクトレイ２２が係止部５３に突き当たったとき、ディスクトレイ２２を第２の位置Ｐ２に戻すようにする。この構成によれば、ディスクトレイ２２が第２の位置Ｐ２から第１の位置Ｐ１に戻る際に、誤ってユーザが蓋体１８を閉位置Ｓ１に保持したとき、再びディスクトレイ２２を第２の位置Ｐ２に戻すことで、ユーザに対して異常があったことを知らせることができる。
【００３３】
また、本実施形態では、ディスクトレイ２２が第１の位置Ｐ１に戻らないとき、駆動機構２３がディスクトレイ２２を第２の位置Ｐ２に戻すように反転動作を行うようにしているが、これに限定されるものではない。制御部が異常を感知したとき、制御部は、駆動機構２３を停止し、ディスクトレイ２２の動作をその場で止めるようにすることもできる。これによっても、ユーザに対して蓋体１８またはディスクトレイ２２に異常があったことを報知することができる。こうして、蓋体１８が開いた状態で、光ディスク２８の記録再生がなされてしまうことが防止される。
【００３４】
本発明のＤＶＤ駆動装置１１は、ＤＶＤ駆動装置用に限らず、例えばＣＤ（Compact Disk）駆動装置のようなその他の電子機器に対しても実施可能である。その他、ＤＶＤ駆動装置１１は、発明の要旨を逸脱しない範囲で種々変形して実施できることは勿論である。
【図面の簡単な説明】
【００３５】
【図１】実施形態に係るＤＶＤ駆動装置を示す斜視図。
【図２】図１に示すＤＶＤ駆動装置のディスクトレイが第２の位置にある状態を示す斜視図。
【図３】図２に示すＤＶＤ駆動装置の駆動機構を示す斜視図。
【図４】図１に示すＤＶＤ駆動装置のフロントパネル取り外した状態を示す斜視図。
【図５】図１に示すＤＶＤ駆動装置のディスクトレイおよび蓋体を示す斜視図。
【図６】図１に示すＤＶＤ駆動装置のスイッチ装置を示す上面図。
【図７】図１に示すＤＶＤ駆動装置のディスクトレイおよび蓋体を示す断面図。
【図８】図７に示すディスクトレイおよび蓋体について、蓋体の係止部がディスクトレイに引っかかった状態を示す断面図。
【図９】図７に示すディスクトレイおよび蓋体について、ディスクトレイが第１の位置から第２の位置に移動する途中の状態を示す断面図。
【図１０】図７に示すディスクトレイおよび蓋体について、ディスクトレイが第２の位置にある状態を示す断面図。
【図１１】図１０に示すディスクトレイおよび蓋体について、第２の位置から第１の位置に戻るディスクトレイが係止部に引っかかった状態を示す断面図。
【符号の説明】
【００３６】
１１…ＤＶＤ駆動装置、１３…フレーム、１６…フロントパネル、１７…開口部、１８…蓋体、２２…ディスクトレイ、２２Ａ…前壁部、２３…駆動機構、５１…本体、５２…軸部、５３…係止部、Ｐ１…第１の位置、Ｐ２…第２の位置、Ｓ１…閉位置、Ｓ２…開位置
【図１】
2008243335.tif 000003
【図２】
2008243335.tif 000004
【図３】
2008243335.tif 000005
【図４】
2008243335.tif 000006
【図５】
2008243335.tif 000007
【図６】
2008243335.tif 000008
【図７】
2008243335.tif 000009
【図８】
2008243335.tif 000010
【図９】
2008243335.tif 000011
【図１０】
2008243335.tif 000012
【図１１】
2008243335.tif 000013